(57)【要約】      （修正有）【課題】所望の印影を捺印した後にアップリケとして使用できる安価なアップリケ兼用スタンプ印材を提供する。【解決手段】一方の主面がインキを含浸可能で、他方の主面に接着材を有する、互いに異なる模様の形状とされた複数の印材１と、印材１を固定可能なスタンプ基台２と、を備える。【選択図】図２
0003211382.tif 000002
【実用新案登録請求の範囲】
【請求項１】
一方の主面がインキを含浸可能で、他方の主面に接着材を有する、互いに異なる模様の形状とされた複数の印材と、
前記印材を固定可能なスタンプ基台と、を備えるアップリケ兼用スタンプ印材。
【考案の詳細な説明】
【技術分野】
【０００１】
本考案は、所望の印影を捺印した後にアップリケとして使用できるアップリケ兼用スタンプ印材に関するものである。
【背景技術】
【０００２】
シート状食材を押し抜くための抜き型部材と、シート状食材に刻印するためのスタンプ部材とからなり、前記抜き型部材は、断面形状が動物などの型抜き模様とされた筒状で、下端に刃部が、上端に天井部が形成され、前記スタンプ部材は、前記天窓部に嵌着される台座部と、前記台座部から立設される把持部からなり、前記台座部の下面に動物などの刻印模様が凸設又は凹設されたスタンプ面が形成されたスタンプ抜き型が提案されている（特許文献１）。
【先行技術文献】
【特許文献】
【０００３】
【特許文献１】実用新案登録第３１５１８７１号公報
【考案の概要】
【考案が解決しようとする課題】
【０００４】
しかしながら、上記従来のスタンプ抜き型では、一つのスタンプで１種類の模様の印影と食材しか作れず、多数の模様の印影と食材を作ろうとすると、多数のスタンプを購入しなければならない。したがって、おもちゃとしては高価になるという問題がある。
【０００５】
本考案が解決しようとする課題は、所望の印影を捺印した後にアップリケとして使用できる安価なアップリケ兼用スタンプ印材を提供することである。
【課題を解決するための手段】
【０００６】
本考案は、一方の主面がインキを含浸可能で、他方の主面に接着材を有する、互いに異なる模様の形状とされた複数の印材と、前記印材を固定可能なスタンプ基台と、を備えるアップリケ兼用スタンプ印材により、上記課題を解決する。
【考案の効果】
【０００７】
本考案によれば、複数の印材の中から所望の模様の印材を選び、他方の面を接着材によりスタンプ基台に固定し、一方の面にインキを塗布する。これにより、所望の位置にその模様の印影を捺印することができる。捺印が済んだら、スタンプ基台からその印材を剥がし、個の印材を所望の位置に接着材により貼り付ける。これにより、印材をアップリケとしても使用することができる。
【図面の簡単な説明】
【０００８】
【図１】本考案の一実施の形態に係るアップリケ兼用スタンプ印材を示す斜視図である。
【図２】図１の印材をスタンプ基台に固定した状態を示す斜視図である。
【図３】図２の印材にインキを塗布する様子を示す斜視図である。
【図４】図３のインキを塗布した印材をコップの側面に押し当てて捺印した状態を示す斜視図である。
【図５】図４の捺印後にスタンプ基台から印材を取り外した状態を示す斜視図である。
【図６】図５の印材をコップの側面に張り付けた状態を示す斜視図である。
【図７】所望の模様の印影とアップリケを示す斜視図である。
【考案を実施するための形態】
【０００９】
図１は、本考案の一実施の形態に係るアップリケ兼用スタンプ印材を示す斜視図、図２は、図１の印材をスタンプ基台に固定した状態を示す斜視図である。本考案に係るアップリケ兼用スタンプ印材１（以下、単に印材１ともいう。）は、特に限定はされないが、例えば図７に示すコップ、ステープラ、銘板その他の各種製品３の表面に、所望の印影を捺印するための印材であり、例えば多孔質ゴム（ゴムスポンジ）からなり、少なくとも一方の主面がインキを含浸可能で、他方の主面に接着材を有する、互いに異なる模様の形状とされたものである。接着材としては、例えば両面接着テープなどを用いることができる。
【００１０】
本考案に係る印材１を用いて捺印する印影は、特に限定されずあらゆる印影を捺印できるが、一例を挙げると、図１に示すように、動物、自動車、果物、植物、星やハートなどの図形といった模様である。本考案に係る印材１は、多孔質ゴムからなるシートを、例えばトムソン加工などにより、上述した各種模様に応じた刃を有する型で打ち抜き加工することにより得ることができる。
【００１１】
本例の印材１は、図２に示すように、例えば直方体形状に成形されたスタンプ基台２に接着材により固定される。本例のスタンプ基台２は、例えばエチレン酢酸ビニル共重合体ＥＶＡなどの樹脂、木材、金属により形成することができるが、軽量で安価な木材又は樹脂で構成することが望ましい。本例のスタンプ基台２は、印材１を貼り付けることができるように、印材１の大きさに応じた大きさとされている。本例のスタンプ基台２は、複数の印材１に対して共用できるので、少なくとも１つあればよい。
【００１２】
印材１の一方の主面に塗布するインキは、特に限定はされないが、ホルムアルデヒド樹脂、ベンジルアルコール、オクチルジフェニルフォスフェート、プロピレングリコールエーテル類、グリコールエーテル類及び染料を含む速乾性インキを用いることができる。各種製品３にはインキを吸収しない素材で構成されたものが少なくないが、こうした素材に対して常乾性インキを用いると、製品３がインキによって滑るので、印字がずれたりする。本例では速乾性インキで捺印することで、印材１と製品３との滑りを抑制でき、また製品３の表面に捺印した印影が短時間で乾燥するので捺印後の取り扱い性も向上する。
【００１３】
次に、本考案に係るアップリケ兼用スタンプ印材１を用いた捺印方法について説明する。
最初に、図１に示す複数の印材１から所望の印材１、例えば花びら形状の印材１を取り外し、図２に示すようにスタンプ基台２の一面に接着材により固定する。図２には、複数の異なる模様の印材１を複数のスタンプ基台２に固定しているが、上述したとおり、スタンプ基台２は１つあればよい。次に、図３に示すように、スタンプ基台２に固定した印材１の一方の主面にインキを塗布する。そして、図４に示すように、スタンプ基台２を持ちながら例えばコップの側面に印材１を押し当て、捺印する。これにより、コップの側面に花びら形状をした印影が捺印される。同様に他の製品に花びら形状の印影を捺印してもよい。
【００１４】
一通り捺印し終わったら、図５に示すように、スタンプ基台２から印材１を剥がし、図
６に示すように例えばコップの側面に、接着材により貼り付ける。これにより、印材１がアップリケ（ワッペン）としても利用できることになる。なお、印材１の捺印する製品と印材１をアップリケとして貼り付ける製品とは、同じ製品であってもよいし、異なる製品であってもよい。図７は、こうして捺印とアップリケが貼り付けられた各種製品を示す。
【符号の説明】
【００１５】
１…印材
２…スタンプ基台
３…製品
【図１】
0003211382.tif 000003
【図２】
0003211382.tif 000004
【図３】
0003211382.tif 000005
【図４】
0003211382.tif 000006
【図５】
0003211382.tif 000007
【図６】
0003211382.tif 000008
【図７】
0003211382.tif 000009
【手続補正書】
【提出日】平成29年5月9日(2017.5.9)
【手続補正１】
【補正対象書類名】図面
【補正対象項目名】図１
【補正方法】変更
【補正の内容】
【図１】
0003211382.tif 000010
【手続補正２】
【補正対象書類名】図面
【補正対象項目名】図２
【補正方法】変更
【補正の内容】
【図２】
0003211382.tif 000011
【手続補正３】
【補正対象書類名】図面
【補正対象項目名】図３
【補正方法】変更
【補正の内容】
【図３】
0003211382.tif 000012
【手続補正４】
【補正対象書類名】図面
【補正対象項目名】図４
【補正方法】変更
【補正の内容】
【図４】
0003211382.tif 000013
【手続補正５】
【補正対象書類名】図面
【補正対象項目名】図５
【補正方法】変更
【補正の内容】
【図５】
0003211382.tif 000014
【手続補正６】
【補正対象書類名】図面
【補正対象項目名】図６
【補正方法】変更
【補正の内容】
【図６】
0003211382.tif 000015
【手続補正７】
【補正対象書類名】図面
【補正対象項目名】図７
【補正方法】変更
【補正の内容】
【図７】
0003211382.tif 000016